(57)【特許請求の範囲】
【請求項１】
ステッピングモータにより指針を駆動する電子時計と、この電子時計と無線通信を行う電子機器とを備えた通信システムにおいて、
前記電子機器は、
無線通信を行う第１無線通信手段と、
前記第１無線通信手段により前記電子時計へ通信データを送信する場合に、当該通信データを前記指針の駆動間隔に応じたデータ量の分割データに切り分けて、当該分割データを前記指針の駆動期間を外した期間に送信していく分割送信手段とを備え、
前記電子時計は、
前記電子機器と無線通信を行う第２無線通信手段と、
前記指針の駆動期間を外した期間に前記電子機器から送信されてくる前記分割データを前記第２無線通信手段により複数回に渡って受信していく分割受信手段とを備えていることを特徴とする通信システム。
【請求項２】
前記電子機器は、
前記分割送信手段により前記分割データが複数回に渡って送信されていく間に前記指針の駆動間隔を確認する間隔確認手段を備え、
前記分割送信手段は、
前記間隔確認手段により確認された前記指針の駆動間隔が変更された場合に、前記分割データのデータ量を新たな駆動間隔に応じて変更して前記通信データから前記分割データを切り分けていくことを特徴とする請求項１記載の通信システム。
【請求項３】
前記電子機器は、
前記指針の駆動が有ったことを示す駆動通知信号を前記電子時計に要求する通知要求手段と、
前記電子時計から前記駆動通知信号を前記第１無線通信手段により受信する通知受信手段と、
を備え、
前記電子機器の前記間隔確認手段は、
受信した前記駆動通知信号に基づいて前記指針の駆動間隔を確認し、
前記電子時計は、
前記電子機器からの要求に応じて前記駆動通知信号を前記第２無線通信手段により前記電子機器へ送信する通知送信手段を備えていることを特徴とする請求項２記載の通信システム。
【請求項４】
第１無線通信手段を備えた電子機器と、ステッピングモータにより指針を駆動するとともに第２無線通信手段を備えた電子時計との間で、データ通信を行わせる通信方法において、
前記電子機器から前記電子時計へ通信データを送信する場合に、前記電子機器の制御手段が、当該通信データを前記指針の駆動間隔に応じたデータ量の分割データに切り分けていく分割ステップと、
前記電子機器の前記第１無線通信手段が、前記分割ステップにより切り分けられた前記分割データを前記指針の駆動期間を外した期間に送信していく送信ステップと、
前記電子時計の前記第２無線通信手段が、前記指針の駆動期間を外した期間に前記電子機器から送信されてくる前記分割データを複数回に渡って受信していく分割受信ステップと、
を含むことを特徴とする通信方法。
【請求項５】
前記分割ステップおよび前記送信ステップにより前記分割データが複数回に渡って送信されていく間に、前記電子機器の制御手段が前記指針の駆動間隔を確認する間隔確認ステップを含み、
前記分割ステップは、
前記間隔確認ステップにより確認された前記指針の駆動間隔が変更された場合に、前記分割データのデータ量を新たな駆動間隔に応じて変更して前記通信データから前記分割データを切り分けていくことを特徴とする請求項４記載の通信方法。
【請求項６】
前記電子機器の制御手段が前記指針の駆動が有ったことを示す駆動通知信号を前記電子時計に要求する通知要求ステップと、
前記電子機器の前記第１無線通信手段が前記電子時計から前記駆動通知信号を受信する通知受信ステップと、
前記電子時計の前記第２無線通信手段が前記電子機器からの要求に応じて前記駆動通知信号を前記電子機器へ送信する通知送信ステップと、
を含み、
前記間隔確認ステップは、
前記通知受信ステップにより受信された駆動通知信号に基づいて前記指針の駆動間隔を確認することを特徴とする請求項５記載の通信方法。
【発明の詳細な説明】
【技術分野】
【０００１】
この発明は、ステッピングモータにより指針を駆動する電子時計および電子機器からなる通信システム、および、その通信方法に関する。
【背景技術】
【０００２】
従来、例えばブルートゥース（Bluetooth；登録商標）の通信モジュールを用いて、腕時計と携帯電話機との間でデータ通信を行うシステムが提案されている（例えば、特許文献１，２）。
【先行技術文献】
【特許文献】
【０００３】
【特許文献１】特開２００２−１５２３２７号公報
【特許文献２】特開２００２−２２３４７５号公報
【発明の概要】
【発明が解決しようとする課題】
【０００４】
指針をステッピングモータで駆動する電子時計で無線通信を行う場合、電波の送受信タイミングと運針タイミングとが重なると、運針に伴う電磁的なノイズによって通信エラーが生じることがある。また、電波の送受信に必要な比較的に大きな消費電力によってステッピングモータの駆動に影響が生じることもある。
【０００５】
また、電子時計の中には、運針周期が様々に切り替わるものがある。例えば、１秒ごとに秒針を運針する通常の時刻表示モード、複数の指針を３２ｐｐｓ（パルス毎秒）や１６ｐｐｓで駆動する早送りモード、秒針を所定の情報を指示させるために停止させる一方、時刻表示のために分針を１０秒ごとに時針を２分ごとにそれぞれ運針する特定機能モードなど、様々に駆動周期が切り替わる。
【０００６】
この発明の目的は、電子時計と電子機器との間で無線通信を行う通信システムにおいて、電子時計の運針タイミングと通信データの送受信タイミングとが容易に重なってしまうことを回避し、効率的に通信データを送受信できる通信システムおよび通信方法を提供することにある。
【課題を解決するための手段】
【０００７】
上記目的を達成するため、請求項１記載の発明は、
ステッピングモータにより指針を駆動する電子時計と、この電子時計と無線通信を行う電子機器とを備えた通信システムにおいて、
前記電子機器は、
無線通信を行う第１無線通信手段と、
前記第１無線通信手段により前記電子時計へ通信データを送信する場合に、当該通信データを前記指針の駆動間隔に応じたデータ量の分割データに切り分けて、当該分割データを前記指針の駆動期間を外した期間に送信していく分割送信手段とを備え、
前記電子時計は、
前記電子機器と無線通信を行う第２無線通信手段と、
前記指針の駆動期間を外した期間に前記電子機器から送信されてくる前記分割データを前記第２無線通信手段により複数回に渡って受信していく分割受信手段とを備えていることを特徴としている。
【０００８】
請求項２記載の発明は、請求項１記載の通信システムにおいて、
前記電子機器は、
前記分割送信手段により前記分割データが複数回に渡って送信されていく間に前記指針の駆動間隔を確認する間隔確認手段を備え、
前記分割送信手段は、
前記間隔確認手段により確認された前記指針の駆動間隔が変更された場合に、前記分割データのデータ量を新たな駆動間隔に応じて変更して前記通信データから前記分割データを切り分けていくことを特徴としている。
【０００９】
請求項３記載の発明は、請求項２記載の通信システムにおいて、
前記電子機器は、
前記指針の駆動が有ったことを示す駆動通知信号を前記電子時計に要求する通知要求手段と、
前記電子時計から前記駆動通知信号を前記第１無線通信手段により受信する通知受信手段と、
を備え、
前記電子機器の前記間隔確認手段は、
受信した前記駆動通知信号に基づいて前記指針の駆動間隔を確認し、
前記電子時計は、
前記電子機器からの要求に応じて前記駆動通知信号を前記第２無線通信手段により前記電子機器へ送信する通知送信手段を備えていることを特徴としている。
【００１０】
請求項４記載の発明は、
第１無線通信手段を備えた電子機器と、ステッピングモータにより指針を駆動するとともに第２無線通信手段を備えた電子時計との間で、データ通信を行わせる通信方法において、
前記電子機器から前記電子時計へ通信データを送信する場合に、前記電子機器の制御手段が、当該通信データを前記指針の駆動間隔に応じたデータ量の分割データに切り分けていく分割ステップと、
前記電子機器の前記第１無線通信手段が、前記分割ステップにより切り分けられた前記分割データを前記指針の駆動期間を外した期間に送信していく送信ステップと、
前記電子時計の前記第２無線通信手段が、前記指針の駆動期間を外した期間に前記電子機器から送信されてくる前記分割データを複数回に渡って受信していく分割受信ステップと、
を含むことを特徴としている。
【００１１】
請求項５記載の発明は、請求項４記載の通信方法において、
前記分割ステップおよび前記送信ステップにより前記分割データが複数回に渡って送信されていく間に、前記電子機器の制御手段が前記指針の駆動間隔を確認する間隔確認ステップを含み、
前記分割ステップは、
前記間隔確認ステップにより確認された前記指針の駆動間隔が変更された場合に、前記分割データのデータ量を新たな駆動間隔に応じて変更して前記通信データから前記分割データを切り分けていくことを特徴としている。
【００１２】
請求項６記載の発明は、請求項５記載の通信方法において、
前記電子機器の制御手段が前記指針の駆動が有ったことを示す駆動通知信号を前記電子時計に要求する通知要求ステップと、
前記電子機器の前記第１無線通信手段が前記電子時計から前記駆動通知信号を受信する通知受信ステップと、
前記電子時計の前記第２無線通信手段が前記電子機器からの要求に応じて前記駆動通知信号を前記電子機器へ送信する通知送信ステップと、
を含み、
前記間隔確認ステップは、
前記通知受信ステップにより受信された駆動通知信号に基づいて前記指針の駆動間隔を確認することを特徴としている。
【発明の効果】
【００１３】
本発明に従うと、指針の駆動間隔に応じたデータ量で通信データを切り分け、この切り分けられた分割データを指針の駆動期間を外した期間に送受信するので、運針タイミングと通信データの送受信タイミングとが容易に重なることなく、効率的に通信データを送受信させることができる。
【図面の簡単な説明】
【００１４】
【図１】本発明の実施形態の電子時計の全体構成を示すブロック図である。
【図２】本発明に係る電子機器の実施形態である通信端末の全体構成を示すブロック図である。
【図３】電子時計と通信端末との通信シーケンス（ａ）と電子時計の運針タイミング（ｂ）とを示したタイムチャートである。
【図４】電子時計のＣＰＵにより実行される分割受信処理の制御手順を示すフローチャートである。
【図５】通信端末のＣＰＵにより実行される分割送信処理の制御手順を示すフローチャートである。
【発明を実施するための形態】
【００１５】
以下、本発明の実施の形態を図面に基づいて説明する。
【００１６】
図１と図２には、この実施形態の通信システムを構成する電子時計４０および電子機器としての通信端末１０の全体構成をそれぞれ表わしたブロック図を示す。
【００１７】
この実施の形態の通信システムは、無線により通話が可能な携帯電話機などの通信端末１０と、腕に装着して使用する電子時計４０とから構成される。通信端末１０と電子時計４０とは、それぞれ短距離無線通信の機能をそれぞれ有し、互いに通信接続が確立された状態で無線信号により通信データの送受信が可能になっている。このような通信により、例えば、通信端末１０に音声着信やメール着信があった場合に、これらの通知データを電子時計４０へ送信してユーザに着信を報知する処理を行ったり、また通信端末１０から正確な時刻データを電子時計４０へ送信して電子時計４０の時刻修正を行ったり、通信端末１０が通信ネットワークからダウンロードした情報を電子時計４０に送信して関連する表示出力を行わせたり、種々の連携機能を実現させるようになっている。
【００１８】
電子時計４０は、図１に示すように、機器の全体的な制御を行うＣＰＵ（中央演算処理装置）４１と、ＣＰＵ４１が実行する制御プログラムや制御データを格納したＲＯＭ（Read Only Memory）４２と、ＣＰＵ４１に作業用のメモリ空間を供給するＲＡＭ（Random Access Memory）４３と、外部からユーザが操作入力を行うためのスイッチ４４と、現在時刻を計時する計時回路４５と、腕時計本体の正面部に設けられ時刻表示や種々の機能表示を行う液晶表示部（ＬＣＤ）４６と、液晶表示部４６を駆動する液晶ドライバ４７と、アンテナＡＮ４１を介して短距離無線通信を行うブルートゥース（Bluetooth）モジュール（第２無線通信手段）４８と、ブルートゥースモジュール４８を介して送受信されるデータに対してシリアル／パラレル変換等のデータ処理を行うＵＡＲＴ（Universal Asynchronous Receiver Transmitter）４９と、振動によりユーザに報知を行う振動モータ５０およびそのドライバ５１と、発光点滅等によりユーザに報知を行う発光ダイオード５２およびそのドライバ５３と、ブザー音によりユーザにアラーム報知を行うピエゾ素子５４およびそのドライバ５５と、回転して時刻等を表示する複数の指針（例えば秒針、分針、時針など）５９と、複数の指針５９を駆動する複数のモータ（例えば第１〜第３モータ）５６およびそのドライバ５７と、複数のモータ５６の回転運動を複数の指針５９にそれぞれ伝達する輪列機構５８と、ＣＰＵ４１と各部との間で信号をやり取りするバス６０等を備えている。
【００１９】
複数のモータ５６は、それぞれパルス状の駆動信号を受けて所定角度（例えば１８０°）ずつ回転するステッピングモータである。
【００２０】
ＲＯＭ４２には、制御プログラムとして、指針５９を回転させて時刻やその他の情報を表示させる指針制御処理のプログラムと、液晶表示部４６により通信端末１０と連携した種々の情報を表示させたり報知部（５０，５２，５４）を駆動させたりする連携機能処理のプログラムと、運針タイミングをなるだけ避けて通信端末１０からデータ受信を行う分割受信処理のプログラムなどが格納されている。この分割受信処理のプログラムとこれを実行するＣＰＵ４１により分割受信手段が構成される。
【００２１】
上記の指針制御処理では、複数の指針５９のうち秒針を１秒ごと分針を１０秒ごと時針を２分ごとにそれぞれ運針する通常の時刻表示モード、複数の指針５９を高速に駆動する早送りモード、秒針を他の情報を指示させるために停止させて分針と時針で通常の時刻表示をさせる特定機能モードなど、所定条件に従って駆動モードが切り替わり、それにより一番早い指針５９の運針スピードが変化するようになっている。
【００２２】
通信端末１０は、図２に示すように、機器の全体的な制御を行うＣＰＵ１１と、ＣＰＵ１１が実行する制御プログラムや制御データを格納したＲＯＭ１２と、ＣＰＵ４１に作業用のメモリ空間を供給するＲＡＭ１３と、複数の操作キーを有する操作部１４と、種々の機能表示を行う液晶表示部（ＬＣＤ）１５およびその表示ドライバ１６と、通話時の音声入出力を行うスピーカ１７およびマイク１８と、入出力される音声信号とデジタルデータとの相互変換を行うコーデック１９と、アンテナＡＮ１１を介して基地局との間で無線信号の送受信を行うＲＦ送受信回路２０と、コーデック１９から入出力される通話音声のデジタルデータや種々の送受信データの変調および復調処理を行う通信回路２１と、アンテナＡＮ１２を介して短距離無線通信を行うブルートゥース（Bluetooth）モジュール（第１無線通信手段）２２と、ブルートゥースモジュール２２を介して送受信されるデータに対してシリアル／パラレル変換等のデータ処理を行うＵＡＲＴ２３と、振動により着信を知らせる振動モータ２４およびそのドライバ２５と、ＣＰＵ１１と各部との間で信号をやりとりするバス２６等を備えている。
【００２３】
ＲＯＭ１２には、制御プログラムとして、携帯電話機の種々の機能を実現するメイン制御処理のプログラムや、運針タイミングをなるだけ避けて電子時計４０にデータ送信を行う分割送信処理のプログラムなどが格納されている。この分割送信処理のプログラムとこれを実行するＣＰＵ１１とにより分割送信手段および制御手段が構成される。
【００２４】
次に、上記の通信端末１０と電子時計４０との間で行われるブルートゥースモジュール４８，２２を介した通信動作について説明する。
【００２５】
図３には、電子時計４０と通信端末１０との通信シーケンス（ａ）および電子時計４０の運針タイミング（ｂ）とを表わしたタイムチャートを示す。図３（ｂ）では丸点によりモータ５６が駆動される運針期間を示している。
【００２６】
この実施形態の通信システムでは、図３（ａ），（ｂ）に示すように、通信端末１０から電子時計４０へデータ量の比較的に大きな通信データを送信する際に、運針タイミングとデータ通信の送受信タイミングとが容易に重ならないように、電子時計４０の運針間隔に合わせたデータ量ごとに通信データを切り分けて、この切り分けられた分割データを運針の間の期間に複数回に渡って送受信していく。
【００２７】
分割データのデータ量は、次のように決定する。すなわち、電子時計４０の最小運針間隔が１秒のときに運針の間の期間に送信できるデータ量がα（ｂｙｔｅ）、現在の運針間隔が１／ｘ秒とすれば、この運針の間の期間に送信できるデータ量β（ｂｙｔｅ）は、次式（１）のように求める。
β ＝ α／ｘ  ・・・  （１）
【００２８】
このように、通信データを運針間隔に対応するデータ量に切り分けて複数回に渡って送信していくことで、大きなデータ量の通信データを送信する場合でも、運針タイミングと送受信タイミングとが重ならないように処理することができる。
【００２９】
また、この実施形態の通信システムでは、図３（ａ）に示すように、分割データを複数回に渡って送信する間に、通信端末１０が電子時計４０の運針間隔を確認する処理を行い、運針間隔が変更された場合には、通信データを切り分けるデータ量を新たな運針間隔に対応するデータ量に切り替えて、分割データを運針の間の期間に送っていく。
【００３０】
具体的には、運針間隔を確認する処理は、次のように行われる。まず、通信端末１０が電子時計４０へモータＯＵＴ信号の確認リクエストを送信する。この確認リクエストは、電子時計４０に正常に受信されるように、電子時計４０の応答があるまで、短い時間間隔で繰り返し出力される。
【００３１】
電子時計４０は、確認リクエストを受けると、モータ５６に駆動信号が出力されて運針が行われたことを示すモータＯＵＴ信号を、次の運針時とその次の運針時に通信端末１０へそれぞれ送信する。
【００３２】
通信端末１０は、上記のように送られてくる２回の運針を表わす２つのモータＯＵＴ信号から、これらの時間間隔を計測することで現在の運針間隔を確認する。
【００３３】
このような運針間隔の確認処理により、図３のタイミングＴ１に示すように、その前後で運針間隔が変更された場合に、電子時計４０から通信端末１０へ送信されるモータＯＵＴ信号の間隔が狭くなって、通信端末１０により運針間隔が狭くなったことが確認される。その結果、通信端末１０において通信データが切り分けられるデータ量が小さく設定されて、データ量の小さい分割データが運針の間の期間に電子時計４０へ送信されることになる。
【００３４】
このような、通信データの分割送信と運針間隔の確認処理とにより、運針タイミングと通信データの送受信タイミングとが容易に重ならないように、且つ、効率的に通信端末１０から電子時計４０へ通信データが送られるようになっている。さらに、電子時計４０で運針間隔が変更された場合にも、この変更に対応して通信データを切り分けるデータ量を適宜変更して効率的に通信データが送られるようになっている。
【００３５】
次に、上記の通信動作を実現する電子時計４０と通信端末１０の制御処理について、フローチャートに基づき詳細に説明する。
【００３６】
図４には、通信処理中に電子時計４０のＣＰＵ４１により実行される分割受信処理のフローチャートを示す。
【００３７】
この分割受信処理は、通信データの受信要求が生じた場合に、電子時計４０のＣＰＵ４１によって、指針制御処理や表示制御処理など、他の処理と並列的に実行される。また、この分割受信処理は、電子時計４０のブルートゥースモジュール４８と、通信端末１０のブルートゥースモジュール２２とが通信接続されて互いに無線通信可能な状態で開始される。
【００３８】
この分割受信処理が開始されると、電子時計４０のＣＰＵ４１は、主に、通信端末１０から送信されてくる通信データの受信処理と、通信端末１０の確認リクエストに応じてモータＯＵＴ信号を送信する処理とを、繰り返し実行する。
【００３９】
すなわち、まず、ＣＰＵ４１は、現在が運針中であるか指針制御処理の状況を確認して（ステップＳ１）、運針中であれば、ステップＳ１の確認処理を繰り返して待機する。運針中は、データ受信と通信端末１０からの確認リクエストの受信を行わないようにするためである。
【００４０】
そして、現在が運針中でないと判別されれば、ＣＰＵ４１は、ブルートゥースモジュール４８に通信端末１０とデータ通信中（分割データの受信中）か確認し（ステップＳ２）、通信中であれば、分割データの受信が終了するまでブルートゥースモジュール４８により受信される分割データを受信バッファからＲＡＭ４３に取り込む処理（データ受信）を行う（ステップＳ３）。そして、一回の分割データの受信が完了したら、次に進む。一方、ステップＳ２の確認処理でデータ通信中でないと判別されたら、そのまま次に進む。
【００４１】
次に進んだら、ＣＰＵ４１は、ブルートゥースモジュール４８に通信端末１０からモータＯＵＴ信号の確認リクエストが受信されていないか確認し（ステップＳ４）、受信していなければそのままステップＳ１に戻る。一方、受信されていれば、次回とその次の２回の運針時に、モータ５６が駆動されたことを示すモータＯＵＴ信号（駆動通知信号）をブルートゥースモジュール４８を介して通信端末１０へ送信させる（ステップＳ５：通知送信手段）。そして、２回のモータＯＵＴ信号を送信したら、ステップＳ１へ戻る。そして、上記ステップＳ１からの処理を繰り返す。
【００４２】
このような分割受信処理により、図３に示した、確認リクエストに対する応答と分割データの受信とを行う電子時計４０の通信動作が実現される。
【００４３】
図５には、通信処理中に通信端末１０のＣＰＵ１１により実行される分割送信処理のフローチャートを示す。
【００４４】
この分割送信処理は、電子時計４０へ比較的にデータ量の大きな通信データを送信する要求が生じた場合に、通信端末１０のメイン制御処理と並列的に実行される処理である。また、この分割送信処理は、電子時計４０のブルートゥースモジュール４８と、通信端末１０のブルートゥースモジュール２２とが通信接続されて、互いに無線通信可能な状態で開始される。
【００４５】
この分割送信処理が開始されると、まず、通信端末１０のＣＰＵ１１は、電子時計４０の運針間隔（モータ端子に駆動信号が出力される間隔）を求めるためにモータＯＵＴ信号の確認リクエストを送信する（ステップＳ１１：通知要求手段）。そして、受信側である電子時計４０から応答があるか確認し（ステップＳ１２）、応答があれば次に進むが、応答がなければステップＳ１１に戻って、確認リクエストの送信と応答の確認とを繰り返す。
【００４６】
その結果、電子時計４０から応答があって次に進んだら、電子時計４０から送られてくる１回目のモータＯＵＴ信号を受信し（ステップＳ１３：通知受信手段）、時間の計測を開始する（ステップＳ１４）。さらに、２回目のモータＯＵＴ信号が送られてくるのを待機して受信し（ステップＳ１５：通知受信手段）、受信されたら時間の計測を終了する（ステップＳ１６）。
【００４７】
続いて、ステップＳ１６の時間間隔の計測結果に基づいて、電子時計４０のモータの速度（運針間隔）を算出する（ステップＳ１７）。さらに、この算出された運針間隔に基づいて、この運針間隔に送信できる分割データのデータ量“β”を算出する（ステップＳ１８）。このデータ量“β”は、先にも説明したが、１秒の運針間隔で送信できるデータ量“α”を運針の速度“ｘ（ｐｐｓ；パルス毎秒）”で除算した値としている。上記ステップＳ１１〜Ｓ１７の処理により間隔確認手段が構成される。
【００４８】
そして、分割データのデータ量“β”が算出されたら、通信直前にモータＯＵＴ信号が送信されていないか、すなわち、通信直前に運針動作が行われていないか、もしもの確認を行う（ステップＳ１９）。その結果、モータＯＵＴ信号が送信されていなければ、通信データからデータ量“β”の分割データを切り分けて、ブルートゥースモジュール２２を介して電子時計４０へ送信する（ステップＳ２０：分割ステップ、送信ステップ）。続いて、残りのデータ通信総量“ｚ”から今回送信分のデータ量“β”を減算し（ステップＳ２１）、減算後の残りのデータ通信総量“ｚ”がゼロになったか判別する（ステップＳ２２）。一方、ステップＳ１９の確認処理で、モータＯＵＴ信号の送信が確認されたら、ステップＳ２０，Ｓ２１の処理は実行せずにステップＳ２２へジャンプする。
【００４９】
ステップＳ２２の判別処理の結果、残りのデータ通信総量“ｚ”がゼロでなければ、ステップＳ１１に戻って、再びステップＳ１１からの処理を繰り返す。この繰り返しにより、分割データが運針の間の期間に複数回に渡って送信されていく。そして、残りのデータ通信総量“ｚ”がゼロになっていれば、この分割送信処理を終了する。
【００５０】
このような分割送信処理により、図３に示した運針間隔の確認と分割データの送信とを行う通信端末１０の通信動作が実現される。
【００５１】
以上のように、この実施形態の電子時計４０および通信端末１０によれば、比較的にデータ量の大きな通信データを送受信する場合に、通信端末１０が通信データを電子時計４０の運針間隔に合わせたデータ量に切り分けて、運針の間の期間に送信していく。したがって、運針タイミングと通信データの送受信タイミングとが容易に重なることがなく、且つ、効率的な通信データの送受信を行うことができる。
【００５２】
また、通信端末１０は、通信データを複数回に渡って送信していく間にも、電子時計４０の運針間隔を確認し、運針間隔が変更されたら、新たな運針間隔に合わせたデータ量で通信データを切り分け、切り分けられた分割データを送信するようになっている。従って、通信データの送信中に運針間隔が変更された場合にも適宜対応することができる。
【００５３】
また、通信端末１０による運針間隔の確認は、次のように実行されるようになっている。すなわち、通信端末１０から確認リクエストを電子時計４０へ送信し、この確認リクエストに基づき電子時計４０が連続する２回の運針の際にモータＯＵＴ信号を通信端末１０へ送信し、このモータＯＵＴ信号により通信端末１０が運針間隔を確認する。従って、実際の運針間隔を確実に確認することができる。
【００５４】
なお、本発明は、上記実施の形態に限られるものではなく、様々な変更が可能である。例えば、上記実施形態では、運針間隔に応じて通信データを切り分けるデータ量“β”を、１秒運針時に適したデータ量“α”を運針スピード“ｘ”で除算した値としているが、これに制限されるものではない。例えば、運針タイミングから所定のマージン期間にも電磁的なノイズが発生して通信データの送受信を避ける必要がある場合には、このマージン期間を除いた期間にデータ送信可能なデータ量を、分割データのデータ量として算出するように構成すれば良い。
【００５５】
また、上記実施形態では、運針を表わすモータＯＵＴ信号の要求と応答とにより運針間隔を確認するようにしているが、例えば、電子時計から運針間隔を表わすデータを電子機器に送って運針間隔の確認を行わせたり、運針間隔の変更が合った場合に、この変更を表わすデータを電子機器に送って運針間隔の変更を通知するようにしても良い。
【００５６】
また、上記実施形態では、分割データを１回送信するたびに、確認リクエストとモータＯＵＴ信号のやり取りを行って運針間隔の確認を行うようにしているが、例えば、分割データを複数回送信するたびに運針間隔の確認を行うようにしても良い。このような構成では、運針間隔が変更された場合に、次の運針間隔の確認が行われるまで、この変更に対応することができなくなるが、運針間隔が同一であるときには１回の運針ごとに１つの分割データを送信していくことができるため、通信データのデータ量が大きくて運針間隔が変更される頻度が少ないときには通信データを効率的に送ることができて効果的である。
【００５７】
また、上記実施形態では、腕に装着して使用する電子時計と通信端末（携帯電話機）との通信に、本発明を適用した例を示したが、電子時計はステッピングモータで指針を駆動するものであれば置時計を適用しても良く、また、通信相手の電子機器は、例えばコンピュータやデジタルカメラなど、種々の機器を適用することができる。
【００５８】
また、無線通信手段としてブルートゥースモジュールを例示したが、通信方式は特に制限されるものでない。その他、実施の形態で具体的に示した細部構成および細部方法は発明の趣旨を逸脱しない範囲で適宜変更可能である。
【符号の説明】
【００５９】
１０      通信端末
１１      ＣＰＵ
１２      ＲＯＭ
１３      ＲＡＭ
１４      操作部
２２      ブルートゥースモジュール
４０      電子時計
４１      ＣＰＵ
４２      ＲＯＭ
４３      ＲＡＭ
４４      スイッチ
４５      計時回路
４８      ブルートゥースモジュール
５６      モータ
５８      輪列機構
５９      指針
【図１】
0005561140.tif 000002
【図２】
0005561140.tif 000003
【図３】
0005561140.tif 000004
【図４】
0005561140.tif 000005
【図５】
0005561140.tif 000006